(57)【要約】      （修正有）【課題】１．雨が醗酵物に直接作用しないようにする。２．醗酵に必用な空気が効率よく醗酵物に供給される構造にする。３．醗酵物からの熱放射を少なくする。４．害虫の醗酵物への進入を防ぐ。【解決手段】１．通気孔１２を持つ外部容器１と、側面に通気孔１３を持つ内部容器２と、外部容器１と内部容器２の上部に下部方向に広がるように傾斜した屋根４を持つ構造物にする。２．醗酵物６には外部容器１の通気孔１２から空気を供給し、醗酵物間の空間（１４など）を通過し、内部容器２の通気孔１３を通り、上部に設けた通気孔８から排出させるようにする。３．２次醗酵処理装置の保温にカバー３を用いる。４．２次醗酵処理装置のカバー３に害虫の吸引手段１０を附加する。【選択図】  図３
2004148227.tif 000002
【特許請求の範囲】
【請求項１】
底面と側面に通気孔を持つ外部容器と、側面に通気孔を持つ内部容器と、外部容器と内部容器の上部に、下部方向に広がるように傾斜した屋根を持つ構造物から構成されることを特徴とする醗酵処理装置。
【請求項２】
「請求項１」において、内部容器の上部に通気手段を持つことを特徴とする醗酵処理装置。
【請求項３】
「請求項１」並びに「請求項２」において、内部容器の通気量が加減できることを特徴とする醗酵処理装置。
【請求項４】
「請求項１」「請求項２」「請求項３」の醗酵装置において、装置を外側から覆うカバーを持つことを特徴とする醗酵処理装置。
【請求項５】
「請求項１」「請求項２」「請求項３」「請求項４」の醗酵装置において、装置を外側から覆うカバーに害虫の吸引手段を附加することを特徴とする醗酵処理装置。
【発明の詳細な説明】
【０００１】
【発明の属する技術分野】本発明は生ごみ処理装置で１次醗酵させた醗酵物を、２次醗酵させるための装置に関するものである。
【０００２】
【従来の技術】資源収集車（生ごみ処理装置）より排出される１次醗酵物は、２次醗酵処理装置に移して醗酵させる。この装置に関しては、現在までに「特願平６−４９６９０」、「特許出願平１１−１４３１６５」、並びに「特許出願平６−２２８９４７」などが出願されている。
【０００３】従来の醗酵処理装置では、雨水が上部から醗酵物中に過度に供給されやすく、また、醗酵物中を流れる空気については、醗酵物と効果的に作用するような構造になっていないので、醗酵効率が悪い。
【０００４】また、醗酵処理装置に集まる害虫への対策では、通気孔を遮虫布で覆い害虫の進入を防いでいる。この方法では、醗酵物中を通る通気量が加減できず、かつ害虫が通気孔の近傍に卵を産みつけるなどの欠点がある。
【０００５】
【発明が解決しようとする課題】そこで、雨が醗酵処理装置（外部容器、内部容器、屋根よりなる）の外部容器の外側を大地に流れ落ちるようにして、内部の醗酵物に直接作用しないようにすること。
【０００６】空気は外部容器の側面と底面の通気孔から入り、醗酵物中を通って内部容器の通気孔へと流れ、内部容器の上部に設けられた通気孔から排出されるようにする。即ち、醗酵に必要な空気が醗酵物に効率よく供給された後、煙突のような吸引作用をもつ内部容器の通気孔へと流れ、内部容器の上部（中心、または側面）に設けられた通気孔から外部に排出できる構造にすること。
【０００７】醗酵物中を流れる空気の量が必要に応じて加減できること。
【０００８】外気温が低下した場合に、醗酵物の熱放射を少なくして、醗酵が効率よく行われるようにすること。
【０００９】害虫の醗酵物への進入を防ぐこと、である。
【００１０】
【課題を解決するための手段】
上記の課題を解決するために、本発明の「請求項１」の醗酵処理装置は、底面と側面に通気孔のある外部容器と、その中心部に置かれる側面に通気孔のある内部容器と、これらの上部に下方向に広がるように傾斜した屋根を持つ構造物から構成されることを特徴とする。
【００１１】本発明の「請求項２」の醗酵処理装置は、「請求項１」に記載された装置で、内部容器の上部（中心または側面）に通気手段を持つことを特徴とする。
【００１２】本発明の「請求項３」の醗酵処理装置は、「請求項１」、並びに「請求項２」に記載された装置で、内部容器の通気量が加減できることを特徴とする。
【００１３】本発明の「請求項４」の醗酵処理装置は、「請求項１」、「請求項２」、並びに「請求項３」に記載された装置で、装置を外側から覆うカバーを持つことを特徴とする。
【００１４】本発明の「請求項５」の醗酵処理装置は、「請求項１」、「請求項２」、「請求項３」並びに「請求項４」に記載された装置で、装置を外側から覆うカバーに害虫の吸引手段を附加することを特徴とする。
【００１５】
【発明の実施の形態】
以下では本発明の実施の形態について説明する。
図１は本発明の２次醗酵処理装置−１を示したものである。底面と側面に通気孔１２を持つ外部容器１と、側面に通気孔１３を持つ内部容器２と、外部容器１と内部容器２の上部に下部方向に広がるように傾斜した屋根４を持つ構造物から構成され、これがベッド１１の上に置かれている。外部容器１と内部容器２の空間に資源収集車（生ごみ処理装置）で１次醗酵させた醗酵物６の多数が投入される。
【００１６】醗酵物６には外部容器１の通気孔１２から空気が供給されるので、２次醗酵が進行する。供給された空気は醗酵物間の空間（１４など）を通過しながら、醗酵物に空気を供給した後、内部容器２の通気孔１３を通り、内部容器の上部（中心または側面）に設けられた通気孔８から排出される。この場合、内部容器２は空気を吸引する働きをするので、高さを高くするほど吸引力は強くなる。
【００１７】カバー５は２次醗酵処理装置を保温するために必要に応じて用いる。
【００１８】図２は本発明の２次醗酵処理装置−２を示したものである。図１との違いは、内部容器２の上部に通気量の加減できる通気手段７を持っている。外部容器１の通気孔１２から空気が醗酵物（６など）の多数に供給され、醗酵物間の空間（１４など）を通過した後、内部容器２の通気孔１３を通り、上部に設けられた通気量が加減できる通気手段７（通気量が連続可変のもの、通気孔が外風により回転するもの、など）の通気孔（７の側面または８）から排出される。
【００１９】図３は本発明の２次醗酵処理装置−３を示したものである。図１との違いは、醗酵処理装置を外側から覆うカバーに害虫の吸引手段１０が附加されている。この装置では、２次醗酵処理装置の外部容器１とカバー３の間に入った害虫はフレキシブルパイプ９を通って害虫吸引手段１０に集められ処理される。
【００２０】
【発明の効果】請求項１に記載の発明においては、２次醗酵処理装置の通気孔を外部容器の底面と側面、並びに内部容器の側面と上部に置き、屋根を下部に傾斜した構造にすることにより、外部容器に雨が入るのを防ぐ効果がある。
【００２１】請求項２に記載の発明においては、内部容器の上部に通気手段を持たせることにより、空気を醗酵物に効率よく作用させる効果がある。
【００２２】請求項３に記載の発明においては、通気量が加減できるので醗酵物を効率よく２次醗酵させる効果がある。
【００２３】請求項４に記載の発明においては、外部容器の外側を覆うカバーを附加することにより、２次醗酵処理装置を保温する効果がある。
【００２４】請求項５に記載の考案においては、外部容器の外側を覆うカバーに害虫の吸引手段を附加することで、２次醗酵処理装置に集まった害虫を取り除く効果がある。
【図面の簡単な説明】
【図１】２次醗酵処理装置−１
【図２】２次醗酵処理装置−２
【図３】２次醗酵処理装置−３
【符号の説明】
１：底面と側面に通気孔のあいた外部容器
２：側面に通気孔のあいた内部容器
３：害虫収集用カバー
４：下部方向に広がるように傾斜した屋根
５：保温用カバー
６：（２次）醗酵物
７：通気量が調節できる通気手段
８：通気孔（排気孔）
９：フレキシブルパイプ
１０：害虫吸引手段
１１：ベッド
１２：外部容器の通気孔
１３：内部容器の通気孔
１４：醗酵物間の隙間
【図１】
2004148227.tif 000003
【図２】
2004148227.tif 000004
【図３】
2004148227.tif 000005